(57)【要約】【課題】ディスプレイにイメージ通りの表示がされているかを低コストで確認する。【解決手段】本発明のディスプレイ表示装置の表示確認方法によれば、表示データを出力する制御ユニットが有するアプリは、特定の映像情報を生成して、グラフィックドライバを介して、特定の映像情報を画素変換回路に出力すると共に特定の映像情報に対応する特定のピクセル着目して、表示パネルに正しく表示できているか否かを、直接、画素変換回路（スケーラのＦＷ）に確認依頼し、画素変換回路は、確認依頼に対する応答を制御ユニットに返信する。表示確認アプリが特定の映像情報に対応する特定のピクセルに着目して、表示パネルに正しく表示できているか否かを判定する。これにより、コスト高になるカメラ系のセンサを用いることなく、ディスプレイにイメージ通りの表示がされているかを低コストで確認することが可能になる。【選択図】図５
2016177103.tif 000002
【特許請求の範囲】
【請求項１】
表示データを出力する制御ユニットと、
前記表示データから映像情報を編集して出力するグラフィックドライバと、
前記映像情報を表示信号に変換して出力する画素変換回路と、
前記表示信号に従って表示を行う表示パネルと、を有し、
前記制御ユニットの表示確認アプリは、
特定の映像情報を生成して、前記グラフィックドライバを介して、前記特定の映像情報を前記画素変換回路に出力すると共に前記特定の映像情報に対応する特定のピクセルに着目して、前記表示パネルに正しく表示できているか否かを、直接、画素変換回路に確認依頼し、その応答を受信することを特徴とするディスプレイ表示装置。
【請求項２】
前記画素変換回路は、
前記表示確認アプリから直接、前記特定の映像情報に対応する特定のピクセルに着目して、前記表示パネルに正しく表示できているか否かを問い合されると、その応答を前記表示確認アプリに返信することを特徴とする請求項１に記載のディスプレイ表示装置。
【請求項３】
前記制御ユニットは、
前記表示確認アプリが正しく表示できていないと判定した場合、グラフィック機能を復帰処理することを特徴とする請求項１に記載のディスプレイ表示装置。
【請求項４】
前記グラフィック機能の復帰処理は、
前記グラフィックドライバをリセットすることを特徴とする請求項３に記載のディスプレイ表示装置。
【請求項５】
前記グラフィック機能の復帰処理は、
前記ディスプレイ表示装置を再起動することを特徴とする請求項３に記載のディスプレイ表示装置。
【請求項６】
前記特定のピクセルは、前記表示パネルの四隅に設けられた微小な画素の集合であることを特徴とする請求項１に記載のディスプレイ表示装置。
【請求項７】
表示データを出力する制御ユニットと、前記表示データから映像情報を編集して出力するグラフィックドライバと、前記映像情報を表示信号に変換して出力する画素変換回路と、前記画素変換回路が出力する前記表示信号に従って表示を行う表示パネルと、を有するディスプレイ表示装置の表示確認方法であって、
前記制御ユニットが特定の映像情報を生成して、前記グラフィックドライバを介して、前記特定の映像情報を前記画素変換回路に出力する第１処理と、
前記制御ユニットが前記特定の映像情報に対応する特定のピクセルに着目して、前記表示パネルに正しく表示できているか否かを前記画素変換回路に確認依頼する第２処理と、
前記画素変換回路が前記確認依頼に対する応答を返信する第３処理と、
前記制御ユニットが前記特定の映像情報に対応する特定のピクセルに着目して、前記表示パネルに正しく表示されているか否かを判定する第４処理と、
を有することを特徴とするディスプレイ表示装置の表示確認方法。
【請求項８】
前記ディスプレイの表示確認方法は、
前記第４処理において、正しく表示されていないと判定した場合に、前記制御ユニットがグラフィック機能の復帰処理を行う第５処理を更に有することを特徴とする請求項６に記載のディスプレイ表示装置の表示確認方法。
【発明の詳細な説明】
【技術分野】
【０００１】
本発明は、ディスプレイ表示装置及びディスプレイ表示装置の表示確認方法に関する。
【背景技術】
【０００２】
表示装置の表示内容の確認方法に関して、下記特許文献１には、入力される映像情報をＬＣＤ表示信号に変換して出力するＬＣＤ信号処理部と、ＬＣＤ表示信号によりＬＣＤに表示を行うＬＣＤ駆動回路を備えた画像処理装置に関し、測定装置により、表示された画像を撮像することが記載されている。
【先行技術文献】
【特許文献】
【０００３】
【特許文献１】特開２００７−４１２９６号公報
【発明の概要】
【発明が解決しようとする課題】
【０００４】
特許文献１に示されたように、ディスプレイの表示をカメラで撮影して確認する方法ではコストが高くなる。
【０００５】
そこで、本発明は、コスト高となるカメラ系のセンサを用いることなく、ディスプレイにイメージ通りの表示がされているかを確認することが可能なディスプレイ及びディスプレイの表示確認方法を提供することを目的とする。
【課題を解決するための手段】
【０００６】
本発明の第１側面のディスプレイ表示装置は、表示データを出力する制御ユニットと、前記表示データから映像情報を編集して出力するグラフィックドライバと、前記映像情報を表示信号に変換して出力する画素変換回路（スケーラともいう）と、前記表示信号に従って表示を行う表示パネルと、を有し、前記制御ユニットの表示確認アプリは、特定の映像情報を生成して、前記グラフィックドライバを介して、前記特定の映像情報を前記画素変換回路に出力すると共に前記特定の映像情報に対応する特定のピクセルに着目して、前記表示パネルに正しく表示できているか否かを、直接、画素変換回路に確認依頼し、その応答を受信することを特徴とする。
【０００７】
第２側面のディスプレイ表示装置の表示確認方法は、表示データを出力する制御ユニットと、前記表示データから映像情報を編集して出力するグラフィックドライバと、前記映像情報を表示信号に変換して出力する画素変換回路と、前記画素変換回路が出力する前記表示信号に従って表示を行う表示パネルと、を有するディスプレイ表示装置の表示確認方法であって、前記制御ユニットが特定の映像情報を生成して、前記グラフィックドライバを介して、前記特定の映像情報を前記画素変換回路に出力する第１処理と、前記制御ユニットが前記特定の映像情報に対応する特定のピクセルに着目して、前記表示パネルに正しく表示できているか否かを前記画素変換回路に確認依頼する第２処理と、前記画素変換回路が前記確認依頼に対する応答を返信する第３処理と、前記制御ユニットが前記特定の映像情報に対応する特定のピクセルに着目して、前記表示パネルに正しく表示されているか否かを判定する第４処理と、を有することを特徴とする。
【発明の効果】
【０００８】
本発明のディスプレイ表示装置の表示確認方法によれば、制御ユニットの表示確認アプリは、特定の映像情報を編集して、グラフィックドライバを介して、特定の映像情報を画素変換回路に出力すると共に前記特定の映像情報に対応する特定のピクセルに着目して、前記表示パネルに正しく表示できているか否かを、直接、画素変換回路に確認依頼し、画素変換回路は、前記確認依頼に対する応答を制御ユニットの表示確認アプリに返信する。表示確認アプリが特定の映像情報に対応する特定のピクセルに着目して、表示パネルに正しく表示できているか否かを判定する。これにより、コスト高になるカメラ系のセンサを用いることなく、ディスプレイにイメージ通りの表示がされているかを低コストで確認することが可能になる。
【図面の簡単な説明】
【０００９】
【図１】本発明の実施形態のディスプレイ表示装置を含むＰＯＳ端末の概要を説明する図
【図２】本発明の実施形態のディスプレイ表示装置の概略を示す機能ブロック図
【図３】図２中表示パネルの画面表示例を示す図
【図４】現行のディスプレイ表示装置の概略を示す機能ブロック図
【図５】本発明の実施形態のディスプレイ表示装置の表示確認方法の処理を示すフローチャート
【発明を実施するための形態】
【００１０】
以下に本発明の実施形態について図面を参照しながら詳細に説明する。
【００１１】
（実施形態の構成）
図１は、本発明の実施形態のディスプレイ表示装置を含むＰＯＳ端末の概要を説明する図である。
【００１２】
ＰＯＳ端末２１は、キャッシャユニット３０と、チェッカユニット４０を有する。
キャッシャユニット３０は、主として販売代金の受領作業を行うためのユニットである。キャッシャユニット３０は、制御ユニット３１、自動釣銭機３２、キャッシュドロア３３、自動釣札機３４、キーボード３５、タッチパネル３６、ディスプレイ３７、カスタマディスプレイ３８、プリンタ３９を有する。
【００１３】
制御ユニット３１は、キャッシャユニット３０を制御するとともに、ＰＯＳ端末２１を統括的に制御するコンピュータである。自動釣銭機３２は、顧客から受け取った硬貨の入金と、釣銭の出金とを行う。自動釣札機３４は、顧客から受け取った紙幣の入金と、釣札の出金とを行う。キャッシュドロア３３は、硬貨および紙幣を収納する収納庫である。ディスプレイ３７は、取引作業を行うための所定のＧＵＩ（Graphical User Interface）を表示する。ディスプレイ３７は、例えば、液晶ディスプレイである。ディスプレイ３７は、タッチパネル３６の下層に位置している。ディスプレイ３７の表示する画像は、タッチパネル３６を透過して、オペレータから視認可能である。オペレータは、ディスプレイ３７によって表示された画像を見ながら、タッチパネル３６に対するタッチ操作を行うことができる。キーボード３５は、ディスプレイ３７に表示されたＧＵＩを操作するための入力装置である。カスタマディスプレイ３８は、客側に取引情報を表示する表示装置であり、例えば、商品購入代金の合計額、客からの預かり金額、釣銭金額等を表示する。プリンタ３９は、客との取引結果をロール紙に印字してレシートを発行する印刷装置である。
【００１４】
チェッカユニット４０は、主として商品コードの入力作業を行うためのユニットである。チェッカユニット４０は、タッチパネル４１、スピーカ４２、レーン台４３、支柱４４、固定スキャナ４５、多項目キーボード４６、ディスプレイ４７、カスタマディスプレイ４８、タッチパネル４９を有する。
【００１５】
レーン台４３は、支柱４４を支持する。また、レーン台４３には、客が持参した買い物かごや、買い物かごに投入された商品が載置される。支柱４４は、タッチパネル４１、スピーカ４２、固定スキャナ４５、多項目キーボード４６、ディスプレイ４７、カスタマディスプレイ４８、タッチパネル４９を支持する。固定スキャナ４５は、商品に付与されたバーコードを読み取るための装置である。オペレータは、商品に付されたバーコードを固定スキャナ４５に向けてかざすことで、固定スキャナ４５を入力装置とした商品コードの入力を行う。なお、固定スキャナ４５は、入力装置の一例である。商品コードの入力結果は、ディスプレイ４７に表示されて、オペレータが商品コードの入力結果を確認することができる。また、タッチパネル４１は、バーコードの付されていない商品（例えば、ばら売りの野菜や魚等の生鮮食料品や、惣菜等）をディスプレイ４７に表示される商品群から選択する入力装置である。カスタマディスプレイ４８は、客側に取引情報を表示する表示装置であり、例えば、商品コードを入力した商品の名称、単価、商品の適合判定の結果等を表示する。タッチパネル４９は、カスタマディスプレイ４８の操作入力に用いる入力装置である。タッチパネル４９は、利用客による各種入力操作を受付ける。例えば、タッチパネル４９は、適合判定の結果に応じた操作を利用客が行う際に用いられる。スピーカ４２は、音声で入力結果を報知する。多項目キーボード４６は、オペレータによる各種入力操作を受け付ける。上述したように、ＰＯＳ端末２１は、２つのディスプレイ３７，４７を有しており、制御ユニット３１とディスプレイ３７，４７によりディスプレイ表示装置が構成されている。
【００１６】
図２は、本発明の実施形態のディスプレイの概略を示す機能ブロック図である。
キャッシュユニット３０内の制御ユニット３１は、ＣＰＵやメモリ等を有し、ＯＳ(Operation System)１２上で動作する表示確認アプリケーション（以下「表示確認アプリ」という。）１０とアプリケーション１１がインストールされている。制御ユニット３１は、表示データを生成して出力する。
【００１７】
ディスプレイ３７及び４７は、制御ユニット３１から出力される表示データから映像情報を編集して出力するグラフィックドライバ１３と、画素変換回路としてのスケーラ１４と、表示パネル１５から構成されている。
【００１８】
通常、制御ユニット３１から表示データが出力されると、グラフィックドライバ１３が表示データから映像情報へ編集して、スケーラ１４へ出力する。映像情報が入力されると、スケーラ１４は、映像情報を画素（ピクセル）の集合からなる表示信号に変換して出力する。表示パネル１５は、表示信号に基づいて表示画面に表示を行う。
【００１９】
アプリ１１は、ＰＯＳ端末の製造メーカ等で独自開発されるが、ＯＳ１２及びグラフィックドライバ１３は他社から買い入れるため、ソースコード等の内部構造は不明である。
【００２０】
スケーラ１４には、表示確認アプリ１０からの問い合わせに回答するファームウェア（Firmware、以下「スケーラＦＷ」という。)１４ａが付加されている。
【００２１】
表示確認アプリ１０は、グラフィックドライバ１３を介して、スケーラ１４に特定の映像情報を送出する機能と特定の映像情報に対応する特定のピクセルに着目して、表示パネルに正しく表示できているか否かを、直接、スケーラＦＷ１４ａに確認依頼する機能を有している。表示確認アプリ１０から、特定の映像情報に対応する特定のピクセルに着目して、表示パネルに正しく表示できているか否かを確認依頼されると、スケーラＦＷ１４ａは、その応答を表示確認アプリ１０に返信する。表示確認アプリ１０は、返信内容に基づいて、表示パネル１５に表示が正しくできているか否かを判定する機能を有している。
【００２２】
図３は、図２中表示パネルの画面表示例を示す図である。
表示パネル１５の表示画面には、ＰＯＳ業務アプリ画面６０が表示されており、例えば、固定スキャナ４５や多項目キーボード４６から入力された商品名「リンゴ」、「みかん」と、金額「１００」、「２００」と、小計の「３００円」が表示されている。画面の四隅には、小さな正方形の形状をした特定のピクセル７０が追加されている。
【００２３】
ＰＯＳ業務アプリ画面６０は、ＯＳ１２上のアプリ１１→グラフィックドライバ１３→スケーラ１４→表示パネル１５の本来の処理に従って表示パネル１５の画面に表示されている。
【００２４】
一方、画面四隅の特定のピクセル７０は、ＯＳ１２上の表示確認アプリ１０→グラフィックドライバ１３→スケーラ１４→表示パネル１５の画面に表示されている。図３に示されている画面表示例で特定のピクセル７０が、画面四隅に小さなピクセルであるのは、ＰＯＳ業務アプリ画面６０への影響を最小限に抑えて、表示パネルの画面表示を確認するためである。
【００２５】
（実施形態の動作）
実施形態の動作について、（Ｉ）現行のディスプレイ表示装置の表示確認方法と、（II）本発明の実施形態のディスプレイ表示装置の表示確認方法と、に分けて説明する。
【００２６】
（Ｉ）現行のディスプレイ表示装置の表示確認方法
図４は、現行のディスプレイ表示装置の概略を示す機能ブロック図であり、本発明の実施形態を示す図２と共通の要素には共通の符号が付されている。
【００２７】
制御ユニット３１Ａは、ＣＰＵやメモリ等を有し、ＯＳ１２上で動作するアプリ１１がインストールされている。制御ユニット３１Ａは、本発明の実施形態における表示確認アプリ１０は追加されていない。
【００２８】
又、ディスプレイ３７´及び４７´は、図２と同様のグラフィックドライバ１３及び表示パネル１５と、図２とは異なる画素変換回路としてのスケーラ５４とから構成されている。スケーラ５４は、図２中のスケーラ１４とは異なり、表示確認アプリ１０からの直接の問い合わせに回答するＦＷは付加されていない。
【００２９】
アプリ１１は、グラフィックドライバ１３に対して、ＰＯＳ業務アプリ画面の表示依頼を行う。
【００３０】
しかし、稀に、グラフィックドライバ１３が正しく機能しておらず、表示データから正しい映像情報を編集して出力していないにも関わらず、正しく表示している旨の応答を返送することがあった。
【００３１】
そのため、現行のディスプレイ表示装置では、イメージ通りの表示がされているかを確認することができなかった。
【００３２】
そこで、本発明の実施形態のディスプレイ表示装置の表示確認方法について以下に述べる。
【００３３】
（II）本発明の実施形態のディスプレイ表示装置の表示確認方法
図５は、本発明の実施形態のディスプレイ表示装置の表示確認方法の処理を示すフローチャートである。
【００３４】
図１〜図３を参照しつつ、図５に示されたフローチャートに沿って、本発明の実施形態のディスプレイ表示装置の表示確認方法の処理について説明する。
【００３５】
例えば、ＰＯＳ端末の起動とともにディスプレイ表示装置の表示確認方法の処理が開始されると、図５中のステップＳ１へ進む。ステップＳ１において、制御ユニット３１内のスケーラＦＷ１４ａと直接通信する表示確認アプリ１０が起動され、ステップＳ２へ進む。ステップＳ２へ進むと、表示確認アプリ１０は、特定の映像情報を生成し、グラフィックドライバ１３を介してスケーラ１４に特定の映像情報を送出し、ディスプレイ３７に対して出力して、ステップＳ３へ進む。
【００３６】
ステップＳ３において、特定の映像情報に対応する特定のピクセルに着目して、表示パネル１５に正しく表示できているか否かを、直接、スケーラＦＷ１４ａに確認依頼し、ステップＳ４へ進む。ステップＳ４において、表示確認アプリ１０は、確認依頼に対する応答をスケーラＦＷ１４ａから受信すると、ステップＳ５へ進む。
【００３７】
ステップＳ５において、表示確認アプリ１０は、特定の映像情報とスケーラＦＷ１４ａからの応答内容が一致するか否かを判定し、一致する場合は（Ｙｅｓ）、ステップＳ７へ進み、一致しない場合は（Ｎｏ）、ステップＳ６へ進む。ステップＳ５において、一致する場合は（Ｙｅｓ）、特定のピクセルに着目して表示パネル１５に正しく表示できている場合であり、この場合にはグラフィックドライバ１３のグラフィック機能は正常である。一方、ステップＳ５において、一致しない場合は（Ｎｏ）、特定のピクセルに着目して表示パネル１５に正しく表示できていない場合であり、この場合にはグラフィックドライバ１３のグラフィック機能は異常である。
【００３８】
ステップ６に進むと、制御ユニット３１は、グラフィック機能の復帰処理（例えば、グラフィックドライバ１３のリセットや、装置の再起動等）を行い、ステップＳ７へ進む。
【００３９】
ステップＳ７において、図示しない再確認タイマ（例えば５秒）がタイムアウトしたか否かを判定し、タイムアウトしていないときは（Ｎｏ）、ステップＳ７でタイムアウトするのを待って、タイムアウトすると（Ｙｅｓ）、ステップＳ２へ戻り、ステップＳ２〜Ｓ６の処理を繰り返す。
【００４０】
尚、特定の映像情報とは、１ピクセルを画面の四隅に対し、計４ピクセルの緑色表示を行う等であり、赤色、橙色、黄色、水色、黄緑色、緑色、青色、紺色、黒色等々、順次、色を変えて表示しながら確認しても良い。
【００４１】
（実施形態の効果）
本発明の実施形態のディスプレイは、特定のピクセルに着目して、正しく表示できているか否かを判定する表示確認アプリ１０と、特定の映像情報に対応する特定のピクセルに着目して、表示パネルに正しく表示できているか否かを、直接、確認依頼されると、その応答を表示確認アプリ１０に返信するスケーラＦＷ１４ａとを有している。これにより、特定のピクセルに着目して、表示パネルに正しく表示できているか否かを判定することができる。
【００４２】
又、本発明の実施形態のディスプレイは、表示アプリが正しく表示できていないと判定した場合に、制御ユニット３１がグラフィック機能の復帰処理を行う。これにより、グラフィックドライバ１３の異常によるごく稀に発生するディスプレイの表示の不具合を自動復旧することができる。
【００４３】
（変形例）
本発明の実施形態のディスプレイの説明は、ディスプレイはＰＯＳ端末の構成要素として説明したが、ＰＯＳ端末のディスプレイに限定されない。本発明におけるグラフィックドライバ１３のようなソースコード等の内部構造は不明の素子を介するとイメージ通りの表示がされているかを確認することができないディスプレイについて、本発明をＰＯＳ端末以外の装置のディスプレイにも適用可能である。
【００４４】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００４５】
１０                                                      表示確認アプリ
１１                                                      アプリ
１２                                                      ＯＳ
１３                                                      グラフィックドライバ
１４，５４                                                スケーラ
１４ａ                                                    スケーラＦＷ
１５                                                      表示パネル
２１                                                      ＰＯＳ端末
３０                                                      キャッシュユニット
３１，３１Ａ                                              制御ユニット
３２                                                      自動釣銭機
３３                                                      キャッシュドロア
３４                                                      自動釣札機
３５                                                      キーボード
３６，４１，４９                                          タッチパネル
３７，３７´，４７，４７´                                ディスプレイ
３８，４８                                                カスタマディスプレイ
３９                                                      プリンタ
４０                                                      チェッカユニット
４２                                                      スピーカ
４３                                                      レーン台
４４                                                      支柱
４５                                                      固定スキャナ
４６                                                      多目的キーボード
６０                                                      ＰＯＳ業務アプリ画面
７０                                                      特定のピクセル
【図１】
2016177103.tif 000003
【図２】
2016177103.tif 000004
【図３】
2016177103.tif 000005
【図４】
2016177103.tif 000006
【図５】
2016177103.tif 000007